(57)【特許請求の範囲】
【請求項１】
制御部と記憶部と表示部を少なくとも備えたＢＩＭシステムであって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、前記建築物を建設するための工事計画に関する工事計画情報を記憶する工事計画情報記憶手段と、を備え、前記制御部は、利用者により入力される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを、前記ＢＩＭモデル記憶手段に記憶された前記ＢＩＭモデルに組み込んだ状態の昇降機組込建築物に対応する統合ＢＩＭモデルを作成する統合モデリング手段と、前記統合モデリング手段により作成された前記統合ＢＩＭモデル、および、前記工事計画情報記憶手段に記憶された前記工事計画情報に基づいて、前記統合ＢＩＭモデルが表す前記昇降機組込建築物を建築するのに必要な部材を運搬するために、前記統合ＢＩＭモデルに含まれる前記ＢＩＭパーツが表す前記昇降機を利用する建方工程を作成する建方工程作成手段と、前記建方工程作成手段により作成された前記建方工程を前記表示部に表示させる画面表示手段と、を備え、前記建方工程作成手段は、前記統合モデリング手段により作成された前記統合ＢＩＭモデルから、前記昇降機組込建築物を建築するのに必要な部材に関する部材情報、前記昇降機組込建築物の各階のフロアレイアウトを示すフロアレイアウト情報、および、前記昇降機組込建築物に組み込まれた前記昇降機のスペックに関する運搬手段スペック情報を抽出し、抽出した前記部材情報、前記フロアレイアウト情報および前記運搬手段スペック情報に基づいて、前記部材の搬入経路を決定し、決定した搬入経路および前記工事計画情報記憶手段に記憶された前記工事計画情報に基づいて、前記建方工程を作成し、前記建方工程作成手段は、上記搬入経路を決定する際、上下階への移動を伴う部材運搬がある場合においては、前記部材の体積、形状、重量に基づいて階段での運搬が困難であるか否かを判定し、当該階段での運搬が困難であると判定した場合は、前記昇降機を前記部材の運搬手段として用いる搬入経路を優先的に決定することを特徴とするＢＩＭシステム。
【請求項２】
前記建方工程作成手段は、前記利用者により入力される建方条件に応じて、前記建方工程を変更することを特徴とする請求項１に記載のＢＩＭシステム。
【請求項３】
前記建方工程作成手段は、前記建方工程を作成する際に当該建方工程を検証し、検証結果に応じて前記利用者に対する警告情報を作成することを特徴とする請求項１又は２に記載のＢＩＭシステム。
【請求項４】
前記記憶部は、過去に作成された前記建方工程に従った工事実績を示す実績情報を記憶し、前記建方工程作成手段は、前記記憶部に記憶された前記実績情報に応じて、前記建方工程を作成することを特徴とする請求項１から３のいずれか一項に記載のＢＩＭシステム。
【請求項５】
前記画面表示手段は、前記統合モデリング手段により作成された前記統合ＢＩＭモデルを前記表示部に表示させることを特徴とする請求項１から４のいずれか一項に記載のＢＩＭシステム。
【請求項６】
制御部と記憶部とを少なくとも備えたサーバ装置、および、制御部と記憶部と表示部とを少なくとも備えた端末装置、を通信可能に接続したＢＩＭシステムであって、前記サーバ装置の前記記憶部は、建築物のＢＩＭモデルに組込可能な昇降機のＢＩＭパーツを作成するためのパーツ情報を記憶するパーツ情報記憶手段、を備え、前記サーバ装置の前記制御部は、前記端末装置から送信される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを前記端末装置へ送信する情報提供手段と、を備え、前記端末装置の前記記憶部は、前記ＢＩＭモデルを記憶するＢＩＭモデル記憶手段と、前記建築物を建設するための工事計画に関する工事計画情報を記憶する工事計画情報記憶手段と、を備え、前記端末装置の前記制御部は、前記情報提供手段により前記サーバ装置から送信された前記ＢＩＭパーツを、前記ＢＩＭモデル記憶手段に記憶された前記ＢＩＭモデルに組み込んだ状態の昇降機組込建築物に対応する統合ＢＩＭモデルを作成する統合モデリング手段と、前記統合モデリング手段により作成された前記統合ＢＩＭモデル、および、前記工事計画情報記憶手段に記憶された前記工事計画情報に基づいて、前記統合ＢＩＭモデルが表す前記昇降機組込建築物を建築するのに必要な部材を運搬するために、前記統合ＢＩＭモデルに含まれる前記ＢＩＭパーツが表す前記昇降機を利用する建方工程を作成する建方工程作成手段と、前記建方工程作成手段により作成された前記建方工程を前記表示部に表示させる画面表示手段と、を備え、前記建方工程作成手段は、前記統合モデリング手段により作成された前記統合ＢＩＭモデルから、前記昇降機組込建築物を建築するのに必要な部材に関する部材情報、前記昇降機組込建築物の各階のフロアレイアウトを示すフロアレイアウト情報、および、前記昇降機組込建築物に組み込まれた前記昇降機のスペックに関する運搬手段スペック情報を抽出し、抽出した前記部材情報、前記フロアレイアウト情報および前記運搬手段スペック情報に基づいて、前記部材の搬入経路を決定し、決定した搬入経路および前記工事計画情報記憶手段に記憶された前記工事計画情報に基づいて、前記建方工程を作成し、前記建方工程作成手段は、上記搬入経路を決定する際、上下階への移動を伴う部材運搬がある場合においては、前記部材の体積、形状、重量に基づいて階段での運搬が困難であるか否かを判定し、当該階段での運搬が困難であると判定した場合は、前記昇降機を前記部材の運搬手段として用いる搬入経路を優先的に決定することを特徴とするＢＩＭシステム。
【請求項７】
制御部と記憶部とを少なくとも備えたサーバ装置、および、表示部を少なくとも備えた端末装置、を通信可能に接続したＢＩＭシステムであって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、前記建築物を建設するための工事計画に関する工事計画情報を記憶する工事計画情報記憶手段と、を備え、前記制御部は、利用者により入力される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを、前記ＢＩＭモデル記憶手段に記憶された前記ＢＩＭモデルに組み込んだ状態の昇降機組込建築物に対応する統合ＢＩＭモデルを作成する統合モデリング手段と、前記統合モデリング手段により作成された前記統合ＢＩＭモデル、および、前記工事計画情報記憶手段に記憶された前記工事計画情報に基づいて、前記統合ＢＩＭモデルが表す前記昇降機組込建築物を建築するのに必要な部材を運搬するために、前記統合ＢＩＭモデルに含まれる前記ＢＩＭパーツが表す前記昇降機を利用する建方工程を作成する建方工程作成手段と、前記建方工程作成手段により作成された前記建方工程を前記端末装置へ送信して、当該建方工程を前記表示部に表示させるように制御する画面表示制御手段と、を備え、前記建方工程作成手段は、前記統合モデリング手段により作成された前記統合ＢＩＭモデルから、前記昇降機組込建築物を建築するのに必要な部材に関する部材情報、前記昇降機組込建築物の各階のフロアレイアウトを示すフロアレイアウト情報、および、前記昇降機組込建築物に組み込まれた前記昇降機のスペックに関する運搬手段スペック情報を抽出し、抽出した前記部材情報、前記フロアレイアウト情報および前記運搬手段スペック情報に基づいて、前記部材の搬入経路を決定し、決定した搬入経路および前記工事計画情報記憶手段に記憶された前記工事計画情報に基づいて、前記建方工程を作成し、前記建方工程作成手段は、上記搬入経路を決定する際、上下階への移動を伴う部材運搬がある場合においては、前記部材の体積、形状、重量に基づいて階段での運搬が困難であるか否かを判定し、当該階段での運搬が困難であると判定した場合は、前記昇降機を前記部材の運搬手段として用いる搬入経路を優先的に決定することを特徴とするＢＩＭシステム。
【請求項８】
制御部と記憶部と表示部を少なくとも備えたＢＩＭシステムにおいて実行される方法であって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、前記建築物を建設するための工事計画に関する工事計画情報を記憶する工事計画情報記憶手段と、を備え、前記制御部において実行される、利用者により入力される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを、前記ＢＩＭモデル記憶手段に記憶された前記ＢＩＭモデルに組み込んだ状態の昇降機組込建築物に対応する統合ＢＩＭモデルを作成する統合モデリングステップと、前記統合モデリングステップにて作成された前記統合ＢＩＭモデル、および、前記工事計画情報記憶手段に記憶された前記工事計画情報に基づいて、前記統合ＢＩＭモデルが表す前記昇降機組込建築物を建築するのに必要な部材を運搬するために、前記統合ＢＩＭモデルに含まれる前記ＢＩＭパーツが表す前記昇降機を利用する建方工程を作成する建方工程作成ステップと、前記建方工程作成ステップにて作成された前記建方工程を前記表示部に表示させる画面表示ステップと、を含み、前記建方工程作成ステップにおいて、前記統合モデリングステップにて作成された前記統合ＢＩＭモデルから、前記昇降機組込建築物を建築するのに必要な部材に関する部材情報、前記昇降機組込建築物の各階のフロアレイアウトを示すフロアレイアウト情報、および、前記昇降機組込建築物に組み込まれた前記昇降機のスペックに関する運搬手段スペック情報が抽出され、抽出された前記部材情報、前記フロアレイアウト情報および前記運搬手段スペック情報に基づいて、前記部材の搬入経路が決定され、決定された搬入経路および前記工事計画情報記憶手段に記憶された前記工事計画情報に基づいて、前記建方工程が作成され、前記建方工程作成ステップにおいて、上記搬入経路を決定する際、上下階への移動を伴う部材運搬がある場合においては、前記部材の体積、形状、重量に基づいて階段での運搬が困難であるか否かが判定され、当該階段での運搬が困難であると判定した場合は、前記昇降機を前記部材の運搬手段として用いる搬入経路が優先的に決定されることを特徴とする方法。
【請求項９】
制御部と記憶部とを少なくとも備えたサーバ装置、および、制御部と記憶部と表示部とを少なくとも備えた端末装置、を通信可能に接続したＢＩＭシステムにおいて実行される方法であって、前記サーバ装置の前記記憶部は、建築物のＢＩＭモデルに組込可能な昇降機のＢＩＭパーツを作成するためのパーツ情報を記憶するパーツ情報記憶手段、を備え、前記端末装置の前記記憶部は、前記ＢＩＭモデルを記憶するＢＩＭモデル記憶手段と、前記建築物を建設するための工事計画に関する工事計画情報を記憶する工事計画情報記憶手段と、を備え、前記サーバ装置の前記制御部において実行される、前記端末装置から送信される作成条件に対応する前記ＢＩＭパーツを、前記パーツ情報記憶手段に記憶された前記パーツ情報を用いて作成する昇降機モデリングステップと、前記サーバ装置の前記制御部において実行される、前記昇降機モデリングステップにて作成された前記ＢＩＭパーツを前記端末装置へ送信する情報提供ステップと、前記端末装置の前記制御部において実行される、前記情報提供ステップにて前記サーバ装置から送信された前記ＢＩＭパーツを、前記ＢＩＭモデル記憶手段に記憶された前記ＢＩＭモデルに組み込んだ状態の昇降機組込建築物に対応する統合ＢＩＭモデルを作成する統合モデリングステップと、前記端末装置の前記制御部において実行される、前記統合モデリングステップにて作成された前記統合ＢＩＭモデル、および、前記工事計画情報記憶手段に記憶された前記工事計画情報に基づいて、前記統合ＢＩＭモデルが表す前記昇降機組込建築物を建築するのに必要な部材を運搬するために、前記統合ＢＩＭモデルに含まれる前記ＢＩＭパーツが表す前記昇降機を利用する建方工程を作成する建方工程作成ステップと、前記建方工程作成ステップにて作成された前記建方工程を前記表示部に表示させる画面表示ステップと、を含み、前記建方工程作成ステップにおいて、前記統合モデリングステップにて作成された前記統合ＢＩＭモデルから、前記昇降機組込建築物を建築するのに必要な部材に関する部材情報、前記昇降機組込建築物の各階のフロアレイアウトを示すフロアレイアウト情報、および、前記昇降機組込建築物に組み込まれた前記昇降機のスペックに関する運搬手段スペック情報が抽出され、抽出された前記部材情報、前記フロアレイアウト情報および前記運搬手段スペック情報に基づいて、前記部材の搬入経路が決定され、決定された搬入経路および前記工事計画情報記憶手段に記憶された前記工事計画情報に基づいて、前記建方工程が作成され、前記建方工程作成ステップにおいて、上記搬入経路を決定する際、上下階への移動を伴う部材運搬がある場合においては、前記部材の体積、形状、重量に基づいて階段での運搬が困難であるか否かが判定され、当該階段での運搬が困難であると判定した場合は、前記昇降機を前記部材の運搬手段として用いる搬入経路が優先的に決定されることを特徴とする方法。
【請求項１０】
制御部と記憶部とを少なくとも備えたサーバ装置、および、表示部を少なくとも備えた端末装置、を通信可能に接続したＢＩＭシステムにおいて実行される方法であって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、前記建築物を建設するための工事計画に関する工事計画情報を記憶する工事計画情報記憶手段と、を備え、前記制御部において実行される、利用者により入力される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを、前記ＢＩＭモデル記憶手段に記憶された前記ＢＩＭモデルに組み込んだ状態の昇降機組込建築物に対応する統合ＢＩＭモデルを作成する統合モデリングステップと、前記統合モデリングステップにて作成された前記統合ＢＩＭモデル、および、前記工事計画情報記憶手段に記憶された前記工事計画情報に基づいて、前記統合ＢＩＭモデルが表す前記昇降機組込建築物を建築するのに必要な部材を運搬するために、前記統合ＢＩＭモデルに含まれる前記ＢＩＭパーツが表す前記昇降機を利用する建方工程を作成する建方工程作成ステップと、前記建方工程作成ステップにて作成された前記建方工程を前記端末装置へ送信して、当該建方工程を前記表示部に表示させるように制御する画面表示制御ステップと、を含み、前記建方工程作成ステップにおいて、前記統合モデリングステップにて作成された前記統合ＢＩＭモデルから、前記昇降機組込建築物を建築するのに必要な部材に関する部材情報、前記昇降機組込建築物の各階のフロアレイアウトを示すフロアレイアウト情報、および、前記昇降機組込建築物に組み込まれた前記昇降機のスペックに関する運搬手段スペック情報が抽出され、抽出された前記部材情報、前記フロアレイアウト情報および前記運搬手段スペック情報に基づいて、前記部材の搬入経路が決定され、決定された搬入経路および前記工事計画情報記憶手段に記憶された前記工事計画情報に基づいて、前記建方工程が作成され、前記建方工程作成ステップにおいて、上記搬入経路を決定する際、上下階への移動を伴う部材運搬がある場合においては、前記部材の体積、形状、重量に基づいて階段での運搬が困難であるか否かが判定され、当該階段での運搬が困難であると判定した場合は、前記昇降機を前記部材の運搬手段として用いる搬入経路が優先的に決定されることを特徴とする方法。
【請求項１１】
制御部と記憶部と表示部を少なくとも備えたＢＩＭシステムに実行させるためのプログラムであって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、前記建築物を建設するための工事計画に関する工事計画情報を記憶する工事計画情報記憶手段と、を備え、前記制御部において、利用者により入力される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを、前記ＢＩＭモデル記憶手段に記憶された前記ＢＩＭモデルに組み込んだ状態の昇降機組込建築物に対応する統合ＢＩＭモデルを作成する統合モデリングステップと、前記統合モデリングステップにて作成された前記統合ＢＩＭモデル、および、前記工事計画情報記憶手段に記憶された前記工事計画情報に基づいて、前記統合ＢＩＭモデルが表す前記昇降機組込建築物を建築するのに必要な部材を運搬するために、前記統合ＢＩＭモデルに含まれる前記ＢＩＭパーツが表す前記昇降機を利用する建方工程を作成する建方工程作成ステップと、前記建方工程作成ステップにて作成された前記建方工程を前記表示部に表示させる画面表示ステップと、を実行させ、前記建方工程作成ステップにおいて、前記統合モデリングステップにて作成された前記統合ＢＩＭモデルから、前記昇降機組込建築物を建築するのに必要な部材に関する部材情報、前記昇降機組込建築物の各階のフロアレイアウトを示すフロアレイアウト情報、および、前記昇降機組込建築物に組み込まれた前記昇降機のスペックに関する運搬手段スペック情報が抽出され、抽出された前記部材情報、前記フロアレイアウト情報および前記運搬手段スペック情報に基づいて、前記部材の搬入経路が決定され、決定された搬入経路および前記工事計画情報記憶手段に記憶された前記工事計画情報に基づいて、前記建方工程が作成され、前記建方工程作成ステップにおいて、上記搬入経路を決定する際、上下階への移動を伴う部材運搬がある場合においては、前記部材の体積、形状、重量に基づいて階段での運搬が困難であるか否かが判定され、当該階段での運搬が困難であると判定した場合は、前記昇降機を前記部材の運搬手段として用いる搬入経路が優先的に決定されることを特徴とするプログラム。
【発明の詳細な説明】
【技術分野】
【０００１】
本発明の実施形態は、ＢＩＭシステム、サーバ装置、端末装置、方法およびプログラムに関する。
【背景技術】
【０００２】
従来、建方支援システムとして、工事に必要な部材と、建物の設計図とを結びつけ、部材を置く荷置場の位置情報と、部材を運ぶ重機の位置情報と、荷を運ぶ順番情報（すなわち、建方の順番情報）から工区ごとの作業時間を算出する技術があった。
【先行技術文献】
【特許文献】
【０００３】
【特許文献１】特開２００１−２２２５７０号公報
【発明の概要】
【発明が解決しようとする課題】
【０００４】
しかし、従来の建方支援システムでは、特定業者のみが使用することを想定しており、異なる複数の工事業者が工程データを取り扱うことができなかった。そのため、従来の建方支援システムでは、異なる複数の工事業者が並行して作業する現場や、重機を使わず（または使えず）、昇降機を運搬手段として使用する（すなわち、工事使用する）場合などにおいて、応用することができなかった。そこで、近年、昇降機を部材の運搬手段として工事使用する動作解析を実行可能な共有型３次元建築モデルを用いて、最適な建方工程を作成する技術が求められていた。
【０００５】
本実施形態が解決しようとする課題は、昇降機を部材の運搬手段として工事使用する最適な建方工程を作成することができるＢＩＭシステム、サーバ装置、端末装置、方法およびプログラムを提供することである。
【課題を解決するための手段】
【０００６】
実施形態のＢＩＭシステムは、制御部と記憶部と表示部を少なくとも備える。前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、前記建築物を建設するための工事計画に関する工事計画情報を記憶する工事計画情報記憶手段と、を備える。前記制御部は、利用者により入力される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを、前記ＢＩＭモデル記憶手段に記憶された前記ＢＩＭモデルに組み込んだ状態の昇降機組込建築物に対応する統合ＢＩＭモデルを作成する統合モデリング手段と、前記統合モデリング手段により作成された前記統合ＢＩＭモデル、および、前記工事計画情報記憶手段に記憶された前記工事計画情報に基づいて、前記統合ＢＩＭモデルが表す前記昇降機組込建築物を建築するのに必要な部材を運搬するために、前記統合ＢＩＭモデルに含まれる前記ＢＩＭパーツが表す前記昇降機を利用する建方工程を作成する建方工程作成手段と、前記建方工程作成手段により作成された前記建方工程を前記表示部に表示させる画面表示手段と、を備える。前記建方工程作成手段は、前記統合モデリング手段により作成された前記統合ＢＩＭモデルから、前記昇降機組込建築物を建築するのに必要な部材に関する部材情報、前記昇降機組込建築物の各階のフロアレイアウトを示すフロアレイアウト情報、および、前記昇降機組込建築物に組み込まれた前記昇降機のスペックに関する運搬手段スペック情報を抽出する。前記建方工程作成手段は、抽出した前記部材情報、前記フロアレイアウト情報および前記運搬手段スペック情報に基づいて、前記部材の搬入経路を決定する。前記建方工程作成手段は、決定した搬入経路および前記工事計画情報記憶手段に記憶された前記工事計画情報に基づいて、前記建方工程を作成する。前記建方工程作成手段は、上記搬入経路を決定する際、上下階への移動を伴う部材運搬がある場合においては、前記部材の体積、形状、重量に基づいて階段での運搬が困難であるか否かを判定する。前記建方工程作成手段は、当該階段での運搬が困難であると判定した場合は、前記昇降機を前記部材の運搬手段として用いる搬入経路を優先的に決定する。
【図面の簡単な説明】
【０００７】
【図１】図１は、建築物の設計図書およびＢＩＭモデルの一例を示す概念図である。
【図２】図２は、第１の実施形態におけるＢＩＭシステムの構成の一例を示すブロック図である。
【図３】図３は、昇降機のＢＩＭパーツの一例を示す図である。
【図４】図４は、昇降機のＢＩＭパーツを建築物のＢＩＭモデルに組み込んだ状態の昇降機組込建築物に対応する統合ＢＩＭモデルの一例を示す図である。
【図５】図５は、工事計画情報の一例を示す図である。
【図６】図６は、部材情報および実績情報の一例を示す図である。
【図７】図７は、フロアレイアウト情報の一例を示す図である。
【図８】図８は、運搬手段スペック情報の一例を示す図である。
【図９】図９は、建方工程作成の一例を説明する図である。
【図１０】図１０は、建方工程作成の一例を説明する図である。
【図１１】図１１は、建方工程作成時における検証の一例を説明する図である。
【図１２】図１２は、検証の際に参照するフロアレイアウトの一例を示す図である。
【図１３】図１３は、検証の際に参照するフロアレイアウトの一例を示す図である。
【図１４】図１４は、昇降機を運搬手段と用いる建方工程作成の一例を説明する図である。
【図１５】図１５は、建方工程作成時に参照する搬入経路を含むフロアレイアウトの一例を示す図である。
【図１６】図１６は、建方工程作成時に参照する搬入経路を含むフロアレイアウトの一例を示す図である。
【図１７】図１７は、建方工程作成時に参照する工事に使用する部材の一例を示す図である。
【図１８】図１８は、建方工程作成時に参照する工事に使用する部材の一例を示す図である。
【図１９】図１９は、建方工程作成時に参照する工事に使用する部材の一例を示す図である。
【図２０】図２０は、第１の実施形態におけるＢＩＭシステムの処理の一例を示すフローチャートである。
【図２１】図２１は、第２の実施形態におけるＢＩＭシステムの構成の一例を示すブロック図である。
【図２２】図２２は、第２の実施形態におけるＢＩＭシステムの処理の一例を示すフローチャートである。
【図２３】図２３は、第３の実施形態におけるＢＩＭシステムの構成の一例を示すブロック図である。
【図２４】図２４は、第３の実施形態におけるＢＩＭシステムの処理の一例を示すフローチャートである。
【発明を実施するための形態】
【０００８】
以下に、実施形態にかかるＢＩＭシステム、サーバ装置、端末装置、方法およびプログラムの実施の形態を図面に基づいて詳細に説明する。なお、この実施の形態によりこの発明が限定されるものではない。
【０００９】
ここで、図１を参照して、実施形態において利用されるＢＩＭ（ビルディングインフォメーションモデリング）の概要について説明する。図１は、建築物の設計図書およびＢＩＭモデルの一例を示す概念図である。図１では、建築物の設計図書による設計方法とＢＩＭによる設計方法との違いを表している。図１の左側に示すように、建築物の設計図書による設計方法では、建築物の設計に関わる各業種が個々に専門図面を作成しているため、各々が関連性および整合性を各々とる必要がある。つまり、建築物の設計図書による設計方法では、例えば関連する設計図書の修正が必要となり、その整合性のチェックも必要となる。一方、図１の右側に示すＢＩＭによる設計方法では、各業種にて建物全体のデータである建築物の３次元モデル（すなわち、建築物のＢＩＭモデル）を共有することができるので、１個のデータ上で関連性および整合性の確認を行うことができる。以下の実施形態では、このＢＩＭを使用した昇降機客先提案システムについて説明する。
【００１０】
以下、実施形態の構成および処理について、第１の実施形態（ＢＩＭシステム（機能分散型））、第２の実施形態（ＢＩＭシステム（サーバ主導型））、第３の実施形態（ＢＩＭシステム（スタンドアロン型））の順にて詳細に説明する。
【００１１】
［第１の実施形態］
最初に、第１の実施形態について、図２乃至図２０を参照して以下に説明する。なお、第１の実施形態で例示するＢＩＭシステムにおけるサーバ側と端末側の機能分散の形態は以下に限られず、同様の効果や機能を奏し得る範囲において、任意の単位で機能的または物理的に分散・統合して構成することができる。
【００１２】
［第１の実施形態におけるＢＩＭシステムの構成］
まず、第１の実施形態におけるＢＩＭシステムの構成の一例について、図２を参照して以下に説明する。図２は、第１の実施形態におけるＢＩＭシステムの構成の一例を示すブロック図であり、該構成のうち主要な部分を概念的に示している。なお、本実施形態においては、通信型のＢＩＭシステムを具体例として説明するが、これに限ることなく、スタンドアロン型のＢＩＭシステムなどにも適用可能である。
【００１３】
図２に示すように、第１の実施形態のＢＩＭシステムは、概略的に、昇降機の３次元モデル（すなわち、昇降機のＢＩＭパーツ）等の情報を提供できるサーバ装置２００、および、単数または複数のＢＩＭアプリケーション等を搭載した端末装置１００、を通信可能に接続して構成される。ここで、図２に示すように、通信には、一例として、ネットワーク３００を介した有線・無線通信等の遠隔通信等を含む。また、これらＢＩＭシステムの各部は任意の通信路を介して通信可能に接続されている。
【００１４】
図２に示すように、第１の実施形態のＢＩＭシステムにおいて、サーバ装置２００は、概略的に、制御部２０２と記憶部２０６とを少なくとも備えており、端末装置１００は、出力部（表示部１１４および音声出力部１１６）と入力部１１８と制御部１０２と記憶部１０６とを少なくとも備える。
【００１５】
［サーバ装置２００の構成］
ここで、図２において、サーバ装置２００は、端末装置１００から送信される作成条件に対応する昇降機のＢＩＭパーツを作成し、端末装置１００へ送信する等の機能を有する。サーバ装置２００は、通信制御インターフェース部２０４を介してネットワーク３００を経由し、端末装置１００と相互に通信可能に接続されており、制御部２０２と記憶部２０６とを備える。制御部２０２は、各種処理を行う制御手段である。通信制御インターフェース部２０４は、通信回線や電話回線等に接続されるアンテナやルータ等の通信装置（図示せず）に接続されるインターフェースであり、サーバ装置２００とネットワーク３００との間における通信制御を行う機能を有する。すなわち、通信制御インターフェース部２０４は、端末装置１００等と通信回線を介してデータを通信する機能を有している。記憶部２０６は、ＨＤＤ（Ｈａｒｄ  Ｄｉｓｋ  Ｄｒｉｖｅ）等の固定ディスク装置またはＳＳＤ（Ｓｏｌｉｄ  Ｓｔａｔｅ  Ｄｒｉｖｅ）等のストレージ手段であり、各種のデータベースやテーブル（パーツ情報データベース２０６ａ等）を格納する。
【００１６】
これら記憶部２０６の各構成要素のうち、パーツ情報データベース２０６ａは、建築物のＢＩＭモデルに組込可能な昇降機のＢＩＭパーツを作成するためのパーツ情報を記憶するパーツ情報記憶手段である。本実施形態において、昇降機は、エレベータおよび乗客コンベアを含む概念であり、乗客コンベアは、エスカレータおよび動く歩道を含む。ここで、パーツ情報は、利用者が昇降機のＢＩＭパーツを設計する上で必要となるあらゆる情報を含む。パーツ情報としては、例えば、用途、定員、積載量、動作速度、色、機種等といった昇降機の仕様、昇降機を建築物に設置する際に必要とされるスペース、寸法、各種付属設備に関する情報、昇降機を構成する必要部材の部材強度、価格、寸法、質量、色、素材、固有振動数といった情報の他、納期、在庫状況、据付時間、仕上げ材、耐用年数、メーカ情報、品番型番などが挙げられるが、上記に限定されない。
【００１７】
より具体的には、本実施形態において、パーツ情報は、例えば、制御部１０２によりＢＩＭパーツをＢＩＭモデルに組み込む際等に参照されるＢＩＭパーツのサイズ情報を含む。ここで、ＢＩＭパーツのサイズ情報は、ＢＩＭパーツを構成する各ユニット、構成部品のサイズ情報も含む。ＢＩＭパーツを構成する各ユニットとしては、例えば、本実施形態のように昇降機がエレベータである場合には、昇降路、乗りかご、カウンタウェイト、メインロープ、巻上機、ガイドレール、乗り場ホール関連品、機械室、制御盤、電源設備、各種配線配管等が挙げられる。また、ＢＩＭパーツを構成する各ユニットとしては、例えば、昇降機がエスカレータである場合には、トラス、踏段、踏段チェーン、移動手摺、乗降板、欄干、駆動装置、機械室、制御盤、電源設備、各種配線配管等が挙げられる。また、パーツ情報は、例えば、制御部１０２によりＢＩＭパーツを変更する際に用いられる設定パラメータを含む。ここで、設定パラメータは、ＢＩＭパーツを構成する各ユニットのサイズ、色、材質、上記各種配線配管等を規定するパラメータを含む。なお、ＢＩＭパーツは、典型的なＢＩＭモデルと同様に、このＢＩＭパーツ自体に対象の昇降機に関連するパーツ情報等の属性情報を含んでいる。
【００１８】
また、制御部２０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、作成条件受信部２０２ａ、昇降機モデリング部２０２ｂ、および、情報提供部２０２ｃを備える。
【００１９】
このうち、作成条件受信部２０２ａは、端末装置１００から送信される作成条件を受信する作成条件受信手段である。ここで、作成条件は、利用者が所望する昇降機の仕様等を示す条件である。つまり、作成条件は、建築物のＢＩＭモデルに組込可能な昇降機のＢＩＭパーツを作成するための条件を指定する。作成条件は、例えば、機種、色、素材、希望の価格、納期、利用者の嗜好性等のうちの少なくとも１つを含んでもよい。また、作成条件は、利用者により端末装置１００において入力部１１８を介して入力されたものであってもよいし、予め作成条件が記憶された外部記憶装置（図示せず）から読み込まれたものであってもよい。
【００２０】
また、昇降機モデリング部２０２ｂは、作成条件受信部２０２ａにより受信された作成条件に対応する昇降機のＢＩＭパーツを、パーツ情報データベース２０６ａに記憶されたパーツ情報を用いて作成する昇降機モデリング手段である。昇降機モデリング部２０２ｂは、例えば、図３に示すようなエレベータの３次元のＢＩＭパーツを作成する。ここで、図３は、昇降機のＢＩＭパーツの一例を示す図である。図３の左側は、昇降路、乗りかご、ガイドレール等のユニットから構成されるＢＩＭパーツであり、図３の右側は、乗り場ホーム関連品の一例として、乗降口のドアのユニット等から構成されるＢＩＭパーツである。
【００２１】
昇降機モデリング部２０２ｂは、利用者が画面上で確認しながら選択可能なように、作成条件を満たす複数の昇降機のＢＩＭパーツを作成してもよい。昇降機モデリング部２０２ｂは、例えば、作成条件受信部２０２ａにより受信された作成条件に基づいた後述のＢＩＭモデルの構造情報等に基づいて、建築物の概要、規模、設置位置、電源設備容量等から当該建築物に設置可能な昇降機のＢＩＭパーツを単数あるいは複数作成する。また、昇降機モデリング部２０２ｂは、作成条件受信部２０２ａにより受信された作成条件に基づいた納期、価格、あるいは、嗜好性に応じてＢＩＭパーツを自動的に最適化して作成するようにしてもよい。例えば、昇降機モデリング部２０２ｂは、利用者によって昇降機の設置に際し納期優先の選択がなされている場合には、設置可能な昇降機のＢＩＭパーツのうち納期が早いものから順に自動で複数作成するようにしてもよい。同様に、昇降機モデリング部２０２ｂは、利用者によって価格優先の選択がなされている場合には、設置可能な複数の昇降機のＢＩＭパーツのうち価格が安いものから順に自動で複数作成するようにしてもよい。昇降機モデリング部２０２ｂは、利用者によって利用者の嗜好性が設定されている場合には、設置可能な複数の昇降機のＢＩＭパーツのうち嗜好性にあったものから順に自動で複数作成するようにしてもよい。ここで、昇降機モデリング部２０２ｂは、作成した昇降機のＢＩＭパーツを記憶部２０６に格納して、ＢＩＭパーツデータベース（図示せず）を構築してもよい。
【００２２】
また、情報提供部２０２ｃは、昇降機モデリング部２０２ｂにより作成された昇降機のＢＩＭパーツを端末装置１００へ送信する情報提供手段である。ここで、情報提供部２０２ｃは、複数のＢＩＭパーツを含む計算結果を端末装置１００へ送信してもよい。
【００２３】
［端末装置１００の構成］
図２において、端末装置１００は、サーバ装置２００へＢＩＭパーツを作成するのに必要な作成条件を送信し、作成条件にしたがって作成されたＢＩＭパーツを含むサーバ装置２００の計算結果を、サーバ装置２００から受信する等の機能を有する。また、端末装置１００は、図４に示すように、サーバ装置２００から受信した昇降機のＢＩＭパーツを建築物のＢＩＭモデルに組み込んだ状態の昇降機組込建築物に対応する統合ＢＩＭモデルを作成する等の機能を有する。ここで、図４は、昇降機のＢＩＭパーツを建築物のＢＩＭモデルに組み込んだ状態の昇降機組込建築物に対応する統合ＢＩＭモデルの一例を示す図である。図４では、昇降機組込建築物の完成時におけるエレベータの設置状態を示す統合ＢＩＭモデルの一部が示されている。また、端末装置１００は、当該統合ＢＩＭモデルおよび工事計画情報に基づいて、統合ＢＩＭモデルが表す昇降機組込建築物を建築するのに必要な部材を運搬するために、統合ＢＩＭモデルに含まれるＢＩＭパーツが表す昇降機を利用する建方工程を作成し、建方工程を表示部に表示させる等の機能を有する。
【００２４】
端末装置１００は、例えば、一般に市販されるデスクトップ型またはノート型のパーソナルコンピュータ等の情報処理装置、携帯電話、スマートフォン、ＰＨＳ、およびＰＤＡ等の携帯端末装置等である。端末装置１００は、インターネットブラウザ等を搭載していてもよく、ＢＩＭアプリケーション等を搭載していてもよい。端末装置１００は、表示部１１４と音声出力部１１６とを少なくとも含む出力部を備えていてもよい。端末装置１００は、データ入力等を行う入力部１１８を備えていてもよい。
【００２５】
図２において、表示部１１４は、アプリケーション等の表示画面を表示する表示手段（例えば、液晶または有機ＥＬ等から構成されるディスプレイ、モニタ、および、タッチパネル等）であってもよい。音声出力部１１６は、音声情報を音声として出力する音声出力手段（例えば、スピーカ等）であってもよい。入力部１１８は、例えば、キー入力部、タッチパネル、コントロールパッド（例えば、タッチパッド、および、ゲームパッド等）、マウス、キーボード、および、マイク等であってもよい。入出力制御インターフェース部１０８は、表示部１１４、音声出力部１１６、および、入力部１１８等の制御を行う。
【００２６】
図２において、通信制御インターフェース部１０４は、通信回線や電話回線等に接続されるアンテナやルータ等の通信装置（図示せず）に接続されるインターフェースであり、端末装置１００とネットワーク３００との間における通信制御を行う機能を有する。すなわち、通信制御インターフェース部１０４は、サーバ装置２００等と通信回線を介してデータを通信する機能を有している。ネットワーク３００は、端末装置１００およびサーバ装置２００と、図示しない外部機器または外部システム（例えば、ＢＩＭモデルデータベースサーバ等として機能する外部のデータベース装置など）とを相互に接続する機能を有し、例えば、インターネット、電話回線網（携帯端末回線網および一般電話回線網等）、イントラネット、または、電力線通信（ＰＬＣ）等であってもよい。
【００２７】
図２において、記憶部１０６は、ＨＤＤやＳＳＤ等の大容量のストレージ手段、および／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段であり、各種のデータベースやファイルやテーブル（ＢＩＭモデルデータベース１０６ａ、工事計画情報データベース１０６ｂ、部材情報ファイル１０６ｃ、フロアレイアウト情報ファイル１０６ｄ、運搬手段スペック情報ファイル１０６ｅ等）を格納してもよい。ここで、記憶部１０６は、各種のファイル等を一時的に記憶するものであってもよい。
【００２８】
このうち、ＢＩＭモデルデータベース１０６ａは、建築物のＢＩＭモデルを記憶するＢＩＭモデル記憶手段である。本実施形態において、ＢＩＭモデルデータベース１０６ａには、予め設計者により設計された建築物のＢＩＭモデルが格納されている。ＢＩＭモデルには、例えば、建物形状、空間関係、地理情報、建物部材の数量や特性、部材強度、固有振動数、耐用年数等の構造情報が含まれるが、これらに限定されない。この他、構造情報は、建物用途、建物規模、階床数、階床名、階高、各階の使用用途、フロア人員、占有面積等から算出可能な昇降機の利用人数などの情報を含んでいてもよい。更に、構造情報は、対象の建築物を構成する各構造ユニットに関する寸法、位置等を示す情報を含んでいてもよい。ここで、ＢＩＭモデルを構成する各構造ユニットとしては、例えば、建築物に配置される部屋、壁、通路、非常階段、避難経路、ガス管、水道管、火災報知機、スプリンクラー、梁、安全対策品等が挙げられる。
【００２９】
また、工事計画情報データベース１０６ｂは、建築物を建設するための工事計画に関する工事計画情報を記憶する工事計画情報記憶手段である。例えば、図５に示すように、工事計画情報は、作業名、作業に使用する部材、作業予定日数、作業ロケーション、イベント特殊条件などの情報を含むが、これらに限定されない。ここで、図５は、工事計画情報の一例を示す図である。以下、図５に示す工事計画情報の詳細を説明する。
【００３０】
一例として、作業名「Ｉ」の場合、作業に使用する部材は「Ａ，Ｅ，Ｆ，Ｋ，Ｍ」が示す部材であり、作業予定日数は「２日」であり、作業ロケーションは「Ａ１，Ａ２，Ａ３，Ａ４」が示す工区であり、イベント特殊条件は「７／３０」に「立会」があることを示している。また、作業名「ＩＩ」の場合、作業に使用する部材は「Ｂ，Ｒ，Ｚ」が示す部材であり、作業予定日数は「８日」であり、作業ロケーションは「Ｃ１，Ｃ２」が示す工区であり、イベント特殊条件は「８／１９」に「建築確認」があり、「７／３０」に「立会」があることを示している。また、作業名「ＩＩＩ」の場合、作業に使用する部材は「Ｃ，Ｄ，Ｖ，Ｘ」が示す部材であり、作業予定日数は「２０日」であり、作業ロケーションは「Ｄ４」が示す工区であり、イベント特殊条件は「７／３０」に「立会」があり、「○○作業完了後に着手」する予定であることを示している。この他、工事計画情報は、例えば、工事開始日および工事完了日等を示す日付情報を含む。更に、日付情報は、休日や工事計画中に発生するイベントの日付や曜日を含む。
【００３１】
なお、工事計画情報は、予め利用者により工事計画情報データベース１０６ｂに入力されたものであってもよいし、工事計画情報を記憶した外部記憶手段から予め工事計画情報データベース１０６ｂに読み込んだものであってもよい。本実施形態において、工事計画情報は、制御部１０２により建方工程を作成する際に参照される。
【００３２】
また、部材情報ファイル１０６ｃは、図４に示したような統合ＢＩＭモデルが表す昇降機組込建築物を建築するのに必要な部材に関する部材情報を記憶する部材情報記憶手段である。本実施形態において、部材情報ファイル１０６ｃには、後述の建方工程作成部１０２ｄが建方工程を作成する際に参照する部材情報が一時的に記憶されている。例えば、部材情報は、部材情報および実績情報の一例を示す図６に示すように、部材名、形状、作業名、使用階、使用数、使用実績、異常実績、重量、体積、特殊条件などの情報を含むが、これらに限定されない。このうち、使用実績、異常実績、特殊条件は、過去に作成された建方工程に従った工事実績を示す実績情報である。本実施形態において、使用実績は、実際に建方工程に従って対象の部材を使用した実績の回数を示す。更に、使用実績には、対象の部材を使用した際に得られた情報が、特殊条件として対応付けられていてもよい。また、異常実績は、実際に建方工程に従って対象の部材を使用した際に何らかの異常が発生した実績の回数を示す。更に、異常実績には、対象の部材を使用して異常が発生した際に得られた情報が、特殊条件として関連付けられていてもよい。なお、これらの実績情報は、部材情報ファイル１０６ｃに記憶される他、サーバ装置２００へ送信されて、異なる複数の工事業者が共有可能なように記憶部２０６に格納されていてもよい。以下、図６が示す部材情報および実績情報の詳細を説明する。
【００３３】
一例として、部材名「Ａ」の場合、形状は「角柱状」であり、作業名は「Ｉ」であり、使用階は「１，２，３，４，５」階であり、使用数は「１５」回であり、使用実績は「１０」回であり、異常実績は「０」回であり、重量は「２５」ｋｇであり、体積は「７０」ｃｍ３であり、特殊条件は設定されていない。また、部材名「Ｂ」の場合、形状は「球状」であり、作業名は「ＩＩ」であり、使用階は「１」階であり、使用数は「１」回であり、使用実績および異常実績はなく、重量は「１００」ｋｇであり、体積は「１２５」ｃｍ３であり、特殊条件は設定されていない。また、部材名「Ｃ」の場合、形状は「円柱状」であり、作業名は「ＩＩＩ」であり、使用階は「４」階であり、使用数は「２」回であり、使用実績は「３」回であり、異常実績は「１」回であり、重量は「７５」ｋｇであり、体積は「５０」ｃｍ３であり、特殊条件は設定されており、異常実績の詳細を別途示している。例えば、運搬時にトラブルが発生した部材や、雨天時に運搬禁止の部材など注意が必要な部材に対してこのような特殊条件が設定される。
【００３４】
なお、部材情報および実績情報は、図４に示したような制御部１０２により作成された統合ＢＩＭモデルから抽出されて部材情報ファイル１０６ｃに格納されたものであってもよいし、予め利用者により部材情報ファイル１０６ｃに入力されたものであってもよい。本実施形態において、部材情報および実績情報は、制御部１０２により建方工程を作成する際に参照される。
【００３５】
また、フロアレイアウト情報ファイル１０６ｄは、図４に示したような統合ＢＩＭモデルが表す昇降機組込建築物の各階のフロアレイアウトを示すフロアレイアウト情報を記憶するフロアレイアウト情報記憶手段である。本実施形態において、フロアレイアウト情報ファイル１０６ｄには、後述の建方工程作成部１０２ｄが建方工程を作成する際に参照するフロアレイアウト情報が一時的に記憶されている。例えば、図７に示すように、フロアレイアウト情報は、各階における工区の範囲、昇降機の位置、階段の位置等の情報を含むが、これらに限定されない。ここで、図７は、フロアレイアウト情報の一例を示す図である。以下、図７に示すフロアレイアウトの詳細を説明する。
【００３６】
一例として、階数が「１Ｆ」である場合、工区は左上の「Ａ１」と右上の「Ｂ１」と左下の「Ｃ１」と右下の「Ｄ１」に分かれ、１台目のエレベータ「ＥＶＬ１」は工区「Ａ１」に位置し、２台目のエレベータ「ＥＶＬ２」は工区「Ｄ１」に位置し、階段１も工区「Ｄ１」に位置することを示している。また、階数が「２Ｆ」である場合、工区は左上の「Ａ２」と右上の「Ｂ２」と左下の「Ｃ２」と右下の「Ｄ２」に分かれ、１台目のエレベータ「ＥＶＬ１」は工区「Ａ２」に位置し、２台目のエレベータ「ＥＶＬ２」は工区「Ｄ２」に位置し、階段１も工区「Ｄ２」に位置することを示している。また、階数が「３Ｆ」である場合、工区は左上の「Ａ３」と右上の「Ｂ３」と左下の「Ｃ３」と右下の「Ｄ３」に分かれ、１台目のエレベータ「ＥＶＬ１」は工区「Ａ３」に位置し、２台目のエレベータ「ＥＶＬ２」は工区「Ｄ３」に位置し、階段１も工区「Ｄ３」に位置することを示している。また、階数が「４Ｆ」である場合、工区は左上の「Ａ４」と右上の「Ｂ４」と左下の「Ｃ４」と右下の「Ｄ４」に分かれ、１台目のエレベータ「ＥＶＬ１」は工区「Ａ４」に位置し、２台目のエレベータ「ＥＶＬ２」は工区「Ｄ４」に位置し、階段１も工区「Ｄ４」に位置することを示している。この他、フロアレイアウト情報は、統合ＢＩＭモデル空間における工事場所（工事実施に必要な空間）や、各工事間の紐付け・制限条件（例えばある工事が終わらないと次の工事が開始できない）等の情報を含む。また、フロアレイアウト情報は、建屋の搬入口の数、開口幅、面積、搬入口の位置情報等の情報も含む。
【００３７】
なお、フロアレイアウト情報は、図４に示したような制御部１０２により作成された統合ＢＩＭモデルから抽出されてフロアレイアウト情報ファイル１０６ｄに格納されたものであってもよいし、予め利用者によりフロアレイアウト情報ファイル１０６ｄに入力されたものであってもよい。本実施形態において、フロアレイアウト情報は、制御部１０２により建方工程を作成する際に参照される。
【００３８】
また、運搬手段スペック情報ファイル１０６ｅは、図４に示したような統合ＢＩＭモデルが表す昇降機組込建築物に組み込まれた昇降機のスペックに関する運搬手段スペック情報を記憶する運搬手段スペック情報記憶手段である。本実施形態において、運搬手段スペック情報ファイル１０６ｅには、後述の建方工程作成部１０２ｄが建方工程を作成する際に参照する運搬手段スペック情報が一時的に記憶されている。例えば、図８に示すように、運搬手段スペック情報は、運搬手段名、速度、積載量、輸送可能体積、稼働開始日等の情報を含むが、これらに限定されない。ここで、図８は、運搬手段スペック情報の一例を示す図である。以下、図８に示す運搬手段スペック情報の詳細を説明する。
【００３９】
一例として、運搬手段名が「ＥＬＶ１」の場合、速度は「４５」ｍ／分、積載量「６００」ｋｇ、輸送可能体積「５ｍ３」であり、稼働開始日は「６／２」である。また、運搬手段名が「ＥＬＶ２」の場合、速度は「９０」ｍ／分、積載量「１５００」ｋｇ、輸送可能体積「８ｍ３」であり、稼働開始日は「６／３０」である。
【００４０】
なお、運搬手段スペック情報は、図４に示したような制御部１０２により作成された統合ＢＩＭモデルから抽出されて運搬手段スペック情報ファイル１０６ｅに格納されたものであってもよいし、予め利用者により運搬手段スペック情報ファイル１０６ｅに入力されたものであってもよい。本実施形態において、運搬手段スペック情報は、制御部１０２により建方工程を作成する際に参照される。
【００４１】
図２において、制御部１０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、作成条件送信部１０２ａ、情報取得部１０２ｂ、統合モデリング部１０２ｃ、建方工程作成部１０２ｄ、画面表示部１０２ｅを備える。
【００４２】
このうち、作成条件送信部１０２ａは、利用者により入力される作成条件をサーバ装置２００へ送信する作成条件送信手段である。ここで、作成条件は、利用者が所望する昇降機の仕様を示す条件である。つまり、作成条件は、建築物のＢＩＭモデルに組込可能な昇降機のＢＩＭパーツを作成するための条件を指定する。作成条件は、利用者により入力部１１８を介して入力されたものであってもよいし、予め作成条件が記憶された外部記憶装置（図示せず）から読み込まれたものであってもよい。
【００４３】
また、情報取得部１０２ｂは、サーバ装置２００から送信される作成条件に対応するＢＩＭパーツを含む計算結果を受信する情報取得手段である。ここで、情報取得部１０２ｂは、複数のＢＩＭパーツを含む計算結果をサーバ装置２００から受信してもよい。情報取得部１０２ｂは、受信したＢＩＭパーツを記憶部１０６に格納して、ＢＩＭパーツデータベース（図示せず）を構築してもよい。
【００４４】
また、統合モデリング部１０２ｃは、情報取得部１０２ｂにより受信された昇降機のＢＩＭパーツを、ＢＩＭモデルデータベース１０６ａに記憶された建築物のＢＩＭモデルに組み込んだ状態の昇降機組込建築物に対応する統合ＢＩＭモデルを作成する統合モデリング手段である。ここで、統合モデリング部１０２ｃは、図４に示したような作成した統合ＢＩＭモデルを記憶部１０６に格納して、統合ＢＩＭモデルデータベース（図示せず）を構築してもよい。
【００４５】
また、建方工程作成部１０２ｄは、統合モデリング部１０２ｃにより作成された統合ＢＩＭモデル、および、工事計画情報データベース１０６ｂに記憶された工事計画情報に基づいて、統合ＢＩＭモデルが表す昇降機組込建築物を建築するのに必要な部材を運搬するために、統合ＢＩＭモデルに含まれるＢＩＭパーツが表す昇降機を利用する建方工程を作成する建方工程作成手段である。
【００４６】
具体的には、建方工程作成部１０２ｄは、統合モデリング部１０２ｃにより作成された統合ＢＩＭモデルから、昇降機組込建築物を建築するのに必要な部材に関する部材情報、昇降機組込建築物の各階のフロアレイアウトを示すフロアレイアウト情報、および、昇降機組込建築物に組み込まれた昇降機のスペックに関する運搬手段スペック情報を抽出する。そして、建方工程作成部１０２ｄは、抽出した部材情報、フロアレイアウト情報および運搬手段スペック情報を、それぞれ部材情報ファイル１０６ｃ、フロアレイアウト情報ファイル１０６ｄ、および、運搬手段スペック情報ファイル１０６ｅに格納する。そして、建方工程作成部１０２ｄは、部材情報ファイル１０６ｃ、フロアレイアウト情報ファイル１０６ｄ、および、運搬手段スペック情報ファイル１０６ｅにそれぞれ格納された、部材情報、フロアレイアウト情報および運搬手段スペック情報に基づいて、部材の搬入経路を決定する。そして、建方工程作成部１０２ｄは、決定した搬入経路および工事計画情報データベース１０６ｂに記憶された工事計画情報に基づいて、建方工程を作成する。
【００４７】
本実施形態において、建方工程作成部１０２ｄは、利用者により入力される建方条件に応じて、建方工程を変更してもよい。また、建方工程作成部１０２ｄは、建方工程を作成する際に当該建方工程を検証し、検証結果に応じて利用者に対する警告情報を作成してもよい。また、建方工程作成部１０２ｄは、記憶部１０６に記憶された、過去に作成された建方工程に従った工事実績を示す実績情報に応じて、建方工程を作成してもよい。
【００４８】
以下、図９〜図１９を参照して、建方工程作成部１０２ｄにより実行される建方工程作成処理の流れの一例を説明する。ここで、図９〜図１０は、建方工程作成の一例を説明する図である。図１１は、建方工程作成時における検証の一例を説明する図である。図１２〜図１３は、検証の際に参照するフロアレイアウトの一例を示す図である。図１４は、昇降機を運搬手段と用いる建方工程作成の一例を説明する図である。図１５〜図１６は、建方工程作成時に参照する搬入経路を含むフロアレイアウトの一例を示す図である。図１７〜図１９は、建方工程作成時に参照する工事に使用する部材の一例を示す図である。
【００４９】
まず、図９に示すように、建方工程作成部１０２ｄは、工事計画情報データベース１０６ｂに記憶された工事計画情報に含まれる日付情報に基づいて、工事開始日（図９において、２０１２．１２／１Ｗ）および工事完了日（図９において、２０１３．１／１Ｗ）を設定する。そして、建方工程作成部１０２ｄは、この工事開始日および工事完了日に基づいて建方工程の時間軸（図９において、横軸）を作成する。
【００５０】
続いて、図９に示すように、建方工程作成部１０２ｄは、工事計画情報データベース１０６ｂに記憶された工事計画情報に含まれる日付情報に基づいて、休日や工事計画中に発生するイベントの日付や曜日を設定する。そして、建方工程作成部１０２ｄは、設定された日時を他の日程と異なる色で表示させる等、視覚的に区別して表示可能なように建方工程を作成する。
【００５１】
続いて、図１０に示すように、建方工程作成部１０２ｄは、工事計画情報データベース１０６ｂに記憶された工事計画情報に含まれる作業名（図１０において、工事項目）および作業予定日数（図１０において、各工事に要する時間）に基づいて、工事項目（図１０において、工事Ａ、工事Ｂ、工事Ｃ、工事Ｄ、工事Ｅ）と各工事に要する時間を設定する。そして、図１０に示すように、建方工程作成部１０２ｄは、工事に要する時間を時間軸上にバーで表示されるように建方工程を作成する。これにより、各工事に要する時間を、利用者が視覚的に認識することができる。なお、本実施形態において、一度作成したバーは、後で利用者が時間軸上で移動、延長短縮、削除が可能である。
【００５２】
続いて、図１１に示すように、建方工程作成部１０２ｄは、フロアレイアウト情報ファイル１０６ｄに記憶されたフロアレイアウト情報に基づいて、図１２および図１３に示すような統合ＢＩＭモデル空間における工事場所（工事実施に必要な空間）や、各工事間の紐付け・制限条件（例えば工事Ｄが終わらないと、工事Ｅが開始できない）等の情報を設定する。ここで、図１２のフロアレイアウト情報は、１Ｆにおける工事Ｄおよび工事Ｃの工事場所を示し、図１３のフロアレイアウト情報は、２Ｆにおける工事Ｄおよび工事Ｂの工事場所を示している。そして、図１１に示すように、建方工程作成部１０２ｄは、これらの情報を基に、例えば同じ場所・日時で複数の工事を実施する計画になっている場合や、制限条件に反する場合に利用者にアラームを出すように、無理な工程になっていないかを確認する。例えば、建方工程作成部１０２ｄは、工事Ｂと工事Ｃを検証して、同時日時に実施する工場の作業場所（フロアレイアウト）を監視し、同じ場所で作業が発生する場合はアラームを出すように設定する。また、建方工程作成部１０２ｄは、工事Ｄと工事Ｅを検証して、工事間の紐付け・制限条件が設定条件から外れる場合はアラームを出すように設定する。
【００５３】
続いて、図１４に示すように、建方工程作成部１０２ｄは、部材情報ファイル１０６ｃから、各工事に使用する部材情報（例えば、体積、重量、形状、材料、使用する工程等）を設定する。そして、建方工程作成部１０２ｄは、設定された部材情報と、フロアレイアウト情報ファイル１０６ｄに記憶されたフロアレイアウト情報（例えば、建屋の搬入口の数、開口幅、面積、搬入口の位置情報、上下階への運搬手段、上下階運搬手段の位置情報など）と、運搬手段スペック情報ファイル１０６ｅに記憶された運搬手段スペック情報（例えば、運搬手段の使用可能日、運搬手段スペック（輸送可能容量・輸送速度など））とに基づいて、部材の搬入経路を決定する（図１５および図１６参照）。なお本実施形態において、一度作成した搬入経路は後で利用者により変更可能である。
【００５４】
本実施形態において、建方工程作成部１０２ｄは、例えば、以下に示すように搬入経路を決定する。まず建方工程作成部１０２ｄは、図１５および図１６に示すように、各部材を使用する工事場所（例えば、図１５において工事Ｄと工事Ｃの工事場所、または、図１６において工事Ｄと工事Ｂの工事場所）の情報から、より近い搬入口（例えば、図１５において、開口幅が１．５ｍの搬入口Ａ、または、開口幅が３ｍの搬入口Ｂ）を選択する。ここで、建方工程作成部１０２ｄは、搬入口における幅や開口面積と、図１７〜図１９に示した工事Ｄ、工事Ｂ、工事Ｃにそれぞれ対応する部材の幅や表面積を比較し、選択した搬入口から搬入不可能であれば、より広い搬入口を搬入経路として選択するものとする。
【００５５】
次に、建方工程作成部１０２ｄは、上下階への移動を伴う部材運搬がある場合においては、まずその工事を行う際に、エレベータ（図１５および図１６において、「ＥＬＶ」と表記）等の昇降機工事状況（利用可否）を判断材料として、搬入経路を選択する。このとき、建方工程作成部１０２ｄは、部材の体積、形状、重量などの情報から、階段での運搬が困難と判断した場合は、エレベータ（ＥＬＶ）を優先的に選択する。また、建方工程作成部１０２ｄは、エレベータ（ＥＬＶ）の容量や速度と、部材の数量、重量、体積等から運搬に要する時間を算出する。そのため、建方工程作成部１０２ｄは、同じ日時に複数の工事を実施し、エレベータ（ＥＬＶ）を優先する部材が重複した場合、利用者にアラームを出し、運搬日時が重複していることを通知し、工程（日時）を調整するよう促す警告情報も作成することもできる。
【００５６】
この他、建方工程作成部１０２ｄは、過去に同様の建方条件（部材情報や運搬手段スペック情報など）を用いて建方工程を作成した実績から流用することも可能である。また、建方工程作成部１０２ｄは、実際の工事実績を実績情報として記憶部１０６に記憶させておき、例えば運搬時にトラブルが発生した部材、雨天時に運搬禁止の部材など注意が必要な部材を使用することとした場合に、利用者にアラームを出し注意喚起する警告情報を作成することもできる。
【００５７】
図２に戻り、画面表示部１０２ｅは、建方工程作成部１０２ｄにより作成された建方工程を表示部１１４に表示させる画面表示手段である。画面表示部１０２ｅは、建方工程作成部１０２ｄにより作成された警告情報を表示部１１４に表示させてもよい。このとき、制御部１０２は、音声出力部１１６により警告情報を音声出力させてもよい。また、本実施形態において、画面表示部１０２ｅは、統合モデリング部１０２ｃにより作成された統合ＢＩＭモデルを表示部１１４に表示させてもよい。これにより、昇降機の設備計画を提案する際、建築物に昇降機を組み込んだ状態の統合ＢＩＭモデルを視覚的に分かりやすく表示することができる。
【００５８】
以上で、第１の実施形態におけるＢＩＭシステムの構成の一例の説明を終える。
【００５９】
［第１の実施形態におけるＢＩＭシステムの処理］
次に、このように構成された第１の実施形態におけるＢＩＭシステムの処理の一例について、以下に図２０を参照して詳細に説明する。図２０は、第１の実施形態におけるＢＩＭシステムの処理の一例を示すフローチャートである。
【００６０】
図２０に示すように、端末装置１００の作成条件送信部１０２ａは、利用者により入力される作成条件をサーバ装置２００へ送信する（ステップＳＡ−１）。
【００６１】
そして、サーバ装置２００の作成条件受信部２０２ａは、ステップＳＡ−１にて作成条件送信部１０２ａの処理により送信される作成条件を受信する（ステップＳＡ−２）。
【００６２】
そして、サーバ装置２００の昇降機モデリング部２０２ｂは、ステップＳＡ−２にて作成条件受信部２０２ａの処理により受信された作成条件に対応する昇降機のＢＩＭパーツを、パーツ情報データベース２０６ａに記憶されたパーツ情報を用いて作成する（ステップＳＡ−３）。例えば、昇降機モデリング部２０２ｂは、図３に示すようなエレベータのＢＩＭパーツを作成する。ここで、ステップＳＡ−３において、昇降機モデリング部２０２ｂは、作成条件を満たす複数の昇降機のＢＩＭパーツを作成してもよい。
【００６３】
そして、サーバ装置２００の情報提供部２０２ｃは、ステップＳＡ−３にて昇降機モデリング部２０２ｂの処理により作成された昇降機のＢＩＭパーツを端末装置１００へ送信する（ステップＳＡ−４）。
【００６４】
そして、端末装置１００の情報取得部１０２ｂは、ステップＳＡ−４にて情報提供部２０２ｃの処理により送信された昇降機のＢＩＭパーツを受信する（ステップＳＡ−５）。
【００６５】
そして、端末装置１００の統合モデリング部１０２ｃは、ステップＳＡ−５にて情報取得部１０２ｂの処理により受信された単数または複数の昇降機のＢＩＭパーツを、ＢＩＭモデルデータベース１０６ａに記憶された建築物のＢＩＭモデルに組み込んだ状態の昇降機組込建築物に対応する統合ＢＩＭモデルを作成する（ステップＳＡ−６）。例えば、統合モデリング部１０２ｃは、図４に示すような、エレベータのＢＩＭパーツが建築物のＢＩＭモデルに組み込まれた状態の昇降機組込建築物に対応する統合ＢＩＭモデルを作成する。
【００６６】
そして、端末装置１００の建方工程作成部１０２ｄは、ステップＳＡ−６にて統合モデリング部１０２ｃの処理により作成された統合ＢＩＭモデル、および、工事計画情報データベース１０６ｂに記憶された工事計画情報に基づいて、統合ＢＩＭモデルが表す昇降機組込建築物を建築するのに必要な部材を運搬するために、統合ＢＩＭモデルに含まれるＢＩＭパーツが表す昇降機を利用する建方工程を作成する（ステップＳＡ−７）。ステップＳＡ−７において、建方工程作成部１０２ｄは、例えば、図１４に示すような、統合ＢＩＭモデルが表す昇降機組込建築物を建築するのに必要な部材を運搬するために、統合ＢＩＭモデルに含まれるＢＩＭパーツが表す昇降機を運搬手段として利用する建方工程を作成する。
【００６７】
ここで、ステップＳＡ−７において、建方工程作成部１０２ｄは、記憶部１０６に記憶された、過去に作成された建方工程に従った工事実績を示す実績情報に応じて、建方工程を作成してもよい。例えば、建方工程作成部１０２ｄは、例えば運搬時にトラブルが発生した部材については、安全に運搬可能なエレベータを使用する搬入経路を用いる建方工程を作成してもよい。また、建方工程作成部１０２ｄは、例えば雨天時に運搬禁止の部材については、屋根がない箇所を避ける搬入経路を用いる建方工程を作成してもよい。
【００６８】
そして、端末装置１００の建方工程作成部１０２ｄは、ステップＳＡ−７において作成された建方工程を検証する（ステップＳＡ−８）。そして、ステップＳＡ−８において、建方工程作成部１０２ｄは、検証結果に応じて利用者に対する警告情報を作成する。例えば、建方工程作成部１０２ｄは、図１１に示すように、同じ場所・日時で複数の工事を実施する計画になっている場合や、制限条件に反する場合に利用者にアラームを出すように、無理な工程になっていないかを確認する。そして、図１１に示すように、建方工程作成部１０２ｄは、工事Ｂと工事Ｃを検証して、同時日時に実施する工場の作業場所（フロアレイアウト）を監視し、同じ場所で作業が発生する場合はアラームを出すように設定する。また、建方工程作成部１０２ｄは、工事Ｄと工事Ｅを検証して、工事間の紐付け・制限条件が設定条件から外れる場合はアラームを出すように設定する。この他、建方工程作成部１０２ｄは、図１４に示すように、実際の工事実績を実績情報として記憶部１０６に記憶させておき、例えば運搬時にトラブルが発生した部材、雨天時に運搬禁止の部材など注意が必要な部材を使用することとした場合に、利用者にアラームを出し注意喚起する警告情報を作成する。
【００６９】
そして、端末装置１００の画面表示部１０２ｅは、ステップＳＡ−８にて建方工程作成部１０２ｄの処理により作成された建方工程を表示部１１４に表示させる（ステップＳＡ−９）。ステップＳＡ−９において、画面表示部１０２ｅは、ステップＳＡ−８にて建方工程作成部１０２ｄの処理により作成された警告情報を表示部１１４に表示させてもよい。このとき、制御部１０２は、音声出力部１１６により警告情報を音声出力させてもよい。また、本実施形態において、画面表示部１０２ｅは、統合モデリング部１０２ｃにより作成された統合ＢＩＭモデルを表示部１１４に表示させてもよい。
【００７０】
そして、端末装置１００の制御部１０２は、利用者により建方条件の変更があったか否か判定する（ステップＳＡ−１０）。本実施形態において、建方条件は、建方工程に反映され得るあらゆる情報を含む概念である。建方条件の変更は、これに限定されないが、例えば、図１０に示すような、各工事に要する時間に対応するバーが、利用者により時間軸上で移動、延長短縮、削除された際などに検出される。また、建方条件の変更は、図１５および図１６に示すような、一度作成した搬入経路が利用者により変更された際などに検出される。
【００７１】
そして、端末装置１００の制御部１０２は、ステップＳＡ−１０において、利用者により建方条件の変更があったと判定した場合（ステップＳＡ−１０：Ｙｅｓ）、変更された建方条件に従って、ステップＳＡ−７から処理を再度実行する。一方、端末装置１００の制御部１０２は、ステップＳＡ−１０において、利用者により建方条件の変更がなかったと判定した場合（ステップＳＡ−１０：Ｎｏ）、その後本処理を終了する。
【００７２】
以上で、第１の実施形態におけるＢＩＭシステムの処理の一例の説明を終える。
【００７３】
このように、本実施形態によれば、昇降機を部材の運搬手段として工事使用する最適な建方工程を作成することができる。具体的には、昇降機のＢＩＭパーツを建築物のＢＩＭモデルに組み込んだ統合ＢＩＭモデルを作成した上で、この統合ＢＩＭモデル（例えば、昇降機を部材の運搬手段として工事使用する動作解析を実行可能な共有型３次元モデル）を用いて、最適な建方工程を作成することができる。これにより、従来のように重機を使わず（または使えず）とも、昇降機を運搬手段として工事使用でき、更に、この統合ＢＩＭモデルは、複数のユーザ間で共有可能であるため、複数の工事業者が並行して作業する場合に有用である。
【００７４】
更に、本実施形態によれば、例えば、以前に同様の部材を搬入しようとしてトラブルが発生した、雨の日は搬入付加等の注意が必要な実績情報を有用な知識としてストックすることができる。そのため、本実施形態のＢＩＭシステムで建方工程を作成した場合に比べ、従来のように建方工程を作成した場合では、ノウハウが蓄積されていない分、非効率な建方工程が作成されてしまう可能性が高いが、本実施形態のＢＩＭシステムではその点を改善可能である。また、本実施形態によれば、このような注意情報（異常実績）だけでなく、作業者の評価が高かった効率的な搬入経路等の評価情報（使用実績）も考慮することで、次回以降の建方工程をより良いものにしていくことも可能である。
【００７５】
［第２の実施形態］
続いて、第２の実施形態について、図２１および図２２を参照して以下に説明する。ここで、図２１は、第２の実施形態におけるＢＩＭシステムの構成の一例を示すブロック図であり、該構成のうち本実施形態に関係する部分を概念的に示している。
【００７６】
なお、第２の実施形態においては、サーバ装置２００側で作成条件に対応する昇降機のＢＩＭパーツを建築物のＢＩＭモデルに組み込んだ状態の昇降機組込建築物に対応する統合ＢＩＭモデルを作成する。そして、サーバ装置２００側で、当該統合ＢＩＭモデルおよび工事計画情報に基づいて、統合ＢＩＭモデルが表す昇降機組込建築物を建築するのに必要な部材を運搬するために、統合ＢＩＭモデルに含まれるＢＩＭパーツが表す昇降機を利用する建方工程を作成する。そして、サーバ装置２００から端末装置１００へ建方工程を送信して、当該端末装置１００の表示部１１４に表示させるように制御している。このように、第２の実施形態は、サーバ装置２００にてサーバ主導で処理を行う点が、その他の実施形態と異なる。
【００７７】
［第２の実施形態におけるＢＩＭシステムの構成］
まず、第２の実施形態におけるＢＩＭシステムの構成の一例について、図２１を参照して以下に説明する。
【００７８】
図２１に示すように、第２の実施形態のサーバ装置２００は、出力部（表示部１１４および音声出力部１１６）と入力部１１８と制御部１０２と記憶部１０６とを少なくとも備えた端末装置１００に通信可能に接続され、制御部２０２と記憶部２０６とを少なくとも備える。通信には、一例として、ネットワーク３００を介した有線・無線通信等の遠隔通信等を含む。また、これらサーバ装置２００および端末装置１００の各部は任意の通信路を介して通信可能に接続されている。
【００７９】
図２１において、サーバ装置２００は、端末装置１００から送信される作成条件に対応するＢＩＭパーツを作成し、ＢＩＭパーツをＢＩＭモデルに組み込んだ状態の昇降機組込建築物に対応する統合ＢＩＭモデルを作成する等の機能を有する。また、サーバ装置２００は、統合ＢＩＭモデルおよび工事計画情報に基づいて、統合ＢＩＭモデルが表す昇降機組込建築物を建築するのに必要な部材を運搬するために、統合ＢＩＭモデルに含まれるＢＩＭパーツが表す昇降機を利用する建方工程を作成する等の機能を有する。また、サーバ装置２００は、建方工程を端末装置１００へ送信して、当該建方工程を表示部１１４に表示させるように制御する等の機能を有する。
【００８０】
なお、サーバ装置２００における通信制御インターフェース部２０４および記憶部２０６（パーツ情報データベース２０６ａ、工事計画情報データベース２０６ｃ、部材情報ファイル２０６ｄ、フロアレイアウト情報ファイル２０６ｅ、および、運搬手段スペック情報ファイル２０６ｆ等）の機能、また、端末装置１００における表示部１１４、音声出力部１１６、および、入力部１１８の機能は、第１の実施形態と同様であるため説明を省略する。なお、記憶部２０６のうち、ＢＩＭモデルファイル２０６ｂには、端末装置１００側の記憶部１０６のＢＩＭモデルデータベース１０６ａに記憶された複数の建築物のＢＩＭモデルのうち、対象の建築物のＢＩＭモデルが予めサーバ装置２００側へ転送されて一時的に記憶されているものとする。
【００８１】
図２１において、制御部２０２は、ＯＳ等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、作成条件受信部２０２ａ、昇降機モデリング部２０２ｂ、統合モデリング部２０２ｄ、建方工程作成部２０２ｅ、画面表示制御部２０２ｆを備える。
【００８２】
このうち、作成条件受信部２０２ａは、端末装置１００から送信される作成条件を受信する作成条件受信手段である。ここで、作成条件は、利用者により端末装置１００において入力部１１８を介して入力されたものであってもよいし、予め作成条件が記憶された外部記憶装置（図示せず）から読み込まれたものであってもよい。
【００８３】
また、昇降機モデリング部２０２ｂは、作成条件受信部２０２ａにより受信された作成条件に対応する昇降機のＢＩＭパーツを、パーツ情報データベース２０６ａに記憶されたパーツ情報を用いて作成する昇降機モデリング手段である。昇降機モデリング部２０２ｂは、例えば、図３に示すようなエレベータの３次元のＢＩＭパーツを作成する。
【００８４】
また、統合モデリング部２０２ｄは、昇降機モデリング部２０２ｂにより作成された昇降機のＢＩＭパーツを、ＢＩＭモデルファイル２０６ｂに記憶された建築物のＢＩＭモデルに組み込んだ状態の昇降機組込建築物に対応する統合ＢＩＭモデルを作成する統合モデリング手段である。ここで、統合モデリング部２０２ｄは、図４に示すような作成した統合ＢＩＭモデルを記憶部２０６に格納して、統合ＢＩＭモデルデータベース（図示せず）を構築してもよい。
【００８５】
また、建方工程作成部２０２ｅは、統合モデリング部２０２ｄにより作成された統合ＢＩＭモデル、および、工事計画情報データベース２０６ｃに記憶された工事計画情報に基づいて、統合ＢＩＭモデルが表す昇降機組込建築物を建築するのに必要な部材を運搬するために、統合ＢＩＭモデルに含まれるＢＩＭパーツが表す昇降機を利用する建方工程を作成する建方工程作成手段である。
【００８６】
具体的には、建方工程作成部２０２ｅは、統合モデリング部２０２ｄにより作成された統合ＢＩＭモデルから、昇降機組込建築物を建築するのに必要な部材に関する部材情報、昇降機組込建築物の各階のフロアレイアウトを示すフロアレイアウト情報、および、昇降機組込建築物に組み込まれた昇降機のスペックに関する運搬手段スペック情報を抽出する。そして、建方工程作成部２０２ｅは、抽出した部材情報、フロアレイアウト情報および運搬手段スペック情報を、それぞれ部材情報ファイル２０６ｄ、フロアレイアウト情報ファイル２０６ｅ、および、運搬手段スペック情報ファイル２０６ｆに格納する。そして、建方工程作成部２０２ｅは、部材情報ファイル２０６ｄ、フロアレイアウト情報ファイル２０６ｅ、および、運搬手段スペック情報ファイル２０６ｆにそれぞれ格納された、部材情報、フロアレイアウト情報および運搬手段スペック情報に基づいて、部材の搬入経路を決定する。そして、建方工程作成部２０２ｅは、決定した搬入経路および工事計画情報データベース２０６ｃに記憶された工事計画情報に基づいて、建方工程を作成する。
【００８７】
本実施形態において、建方工程作成部２０２ｅは、利用者により入力される建方条件に応じて、建方工程を変更してもよい。また、建方工程作成部２０２ｅは、建方工程を作成する際に当該建方工程を検証し、検証結果に応じて利用者に対する警告情報を作成してもよい。また、建方工程作成部２０２ｅは、記憶部２０６に記憶された、過去に作成された建方工程に従った工事実績を示す実績情報に応じて、建方工程を作成してもよい。
【００８８】
画面表示制御部２０２ｆは、建方工程作成部２０２ｅにより作成された建方工程を端末装置１００へ送信して、当該建方工程を端末装置１００の表示部１１４に表示させるように制御する画面表示制御手段である。画面表示制御部２０２ｆは、建方工程作成部２０２ｅにより作成された警告情報を端末装置１００へ送信して、表示部１１４に表示させるように制御してもよい。このとき、端末装置１００の制御部１０２は、音声出力部１１６により警告情報を音声出力させてもよい。また、本実施形態において、画面表示制御部２０２ｆは、統合モデリング部２０２ｄにより作成された統合ＢＩＭモデルを端末装置１００へ送信して、表示部１１４に表示させるように制御してもよい。これにより、昇降機の設備計画を提案する際、建築物に昇降機を組み込んだ状態の統合ＢＩＭモデルを視覚的に分かりやすく表示することができる。
【００８９】
なお、図２１では、ＢＩＭモデルデータベース１０６ａが端末装置１００側の記憶部１０６に備えられた例を説明したが、これに限定されない。図示しないが、ＢＩＭモデルデータベースは、サーバ装置２００側の記憶部２０６側に備えられていてもよく、また、ネットワーク３００を介して通信可能に接続されたデータベースサーバとして外部装置の記憶部側に備えられていてもよい。
【００９０】
以上で、第２の実施形態におけるＢＩＭシステムの構成の一例の説明を終える。
【００９１】
［第２の実施形態におけるＢＩＭシステムの処理］
次に、このように構成された第２の実施形態におけるＢＩＭシステムの処理の一例について、以下に図２２を参照して詳細に説明する。図２２は、第２の実施形態におけるＢＩＭシステムの処理の一例を示すフローチャートである。
【００９２】
図２２に示すように、まず、端末装置１００の制御部１０２は、利用者により入力される作成条件をサーバ装置２００へ送信する（ステップＳＢ−１）。
【００９３】
そして、サーバ装置２００の作成条件受信部２０２ａは、ステップＳＢ−１にて制御部１０２の処理により送信される作成条件を受信する（ステップＳＢ−２）。
【００９４】
そして、サーバ装置２００の昇降機モデリング部２０２ｂは、ステップＳＢ−２にて作成条件受信部２０２ａの処理により受信された作成条件に対応する昇降機のＢＩＭパーツを、パーツ情報データベース２０６ａに記憶されたパーツ情報を用いて作成する（ステップＳＢ−３）。例えば、昇降機モデリング部２０２ｂは、上述の図３に示すようなエレベータのＢＩＭパーツを作成する。ここで、ステップＳＢ−３において、昇降機モデリング部２０２ｂは、作成条件を満たす複数の昇降機のＢＩＭパーツを作成してもよい。
【００９５】
そして、サーバ装置２００の統合モデリング部２０２ｄは、ステップＳＢ−３にて昇降機モデリング部２０２ｂの処理により作成された昇降機のＢＩＭパーツを、ＢＩＭモデルファイル２０６ｂに記憶された建築物のＢＩＭモデルに組み込んだ状態の昇降機組込建築物に対応する統合ＢＩＭモデルを作成する（ステップＳＢ−４）。例えば、統合モデリング部２０２ｄは、図４に示すような、エレベータのＢＩＭパーツが建築物のＢＩＭモデルに組み込まれた状態の昇降機組込建築物に対応する統合ＢＩＭモデルを作成する。
【００９６】
そして、サーバ装置２００の建方工程作成部２０２ｅは、ステップＳＢ−４にて統合モデリング部２０２ｄの処理により作成された統合ＢＩＭモデル、および、工事計画情報データベース２０６ｃに記憶された工事計画情報に基づいて、統合ＢＩＭモデルが表す昇降機組込建築物を建築するのに必要な部材を運搬するために、統合ＢＩＭモデルに含まれるＢＩＭパーツが表す昇降機を利用する建方工程を作成する（ステップＳＢ−５）。ステップＳＢ−５において、建方工程作成部２０２ｅは、例えば、図１４に示すような、統合ＢＩＭモデルが表す昇降機組込建築物を建築するのに必要な部材を運搬するために、統合ＢＩＭモデルに含まれるＢＩＭパーツが表す昇降機を運搬手段として利用する建方工程を作成する。
【００９７】
ここで、ステップＳＢ−５において、建方工程作成部２０２ｅは、記憶部２０６に記憶された、過去に作成された建方工程に従った工事実績を示す実績情報に応じて、建方工程を作成してもよい。例えば、建方工程作成部２０２ｅは、例えば運搬時にトラブルが発生した部材については、安全に運搬可能なエレベータを使用する搬入経路を用いる建方工程を作成してもよい。また、建方工程作成部２０２ｅは、例えば雨天時に運搬禁止の部材については、屋根がない箇所を避ける搬入経路を用いる建方工程を作成してもよい。
【００９８】
そして、サーバ装置２００の建方工程作成部２０２ｅは、ステップＳＢ−５において作成された建方工程を検証する（ステップＳＢ−６）。そして、ステップＳＢ−６において、建方工程作成部２０２ｅは、検証結果に応じて利用者に対する警告情報を作成する。例えば、建方工程作成部２０２ｅは、図１１に示すように、同じ場所・日時で複数の工事を実施する計画になっている場合や、制限条件に反する場合に利用者にアラームを出すように、無理な工程になっていないかを確認する。そして、図１１に示すように、建方工程作成部２０２ｅは、工事Ｂと工事Ｃを検証して、同時日時に実施する工場の作業場所（フロアレイアウト）を監視し、同じ場所で作業が発生する場合はアラームを出すように設定する。また、建方工程作成部２０２ｅは、工事Ｄと工事Ｅを検証して、工事間の紐付け・制限条件が設定条件から外れる場合はアラームを出すように設定する。この他、建方工程作成部２０２ｅは、図１４に示すように、実際の工事実績を実績情報として記憶部２０６に記憶させておき、例えば運搬時にトラブルが発生した部材、雨天時に運搬禁止の部材など注意が必要な部材を使用することとした場合に、利用者にアラームを出し注意喚起する警告情報を作成する。
【００９９】
そして、サーバ装置２００の画面表示制御部２０２ｆは、ステップＳＢ−５にて建方工程作成部２０２ｅの処理により作成された建方工程を端末装置１００へ送信して（ステップＳＢ−７）、当該建方工程を端末装置１００の表示部１１４に表示させるように制御する（ステップＳＢ−８）。ステップＳＢ−７〜ＳＢ−８において、画面表示制御部２０２ｆは、ステップＳＢ−６にて建方工程作成部２０２ｅの処理により作成された警告情報を端末装置１００へ送信して、表示部１１４に表示させるように制御してもよい。このとき、端末装置１００の制御部１０２は、音声出力部１１６により警告情報を音声出力させてもよい。また、本実施形態において、画面表示制御部２０２ｆは、統合モデリング部２０２ｄにより作成された統合ＢＩＭモデルを端末装置１００へ送信して、表示部１１４に表示させるように制御してもよい。
【０１００】
そして、端末装置１００の制御部１０２は、利用者により建方条件の変更があったか否か判定する（ステップＳＢ−９）。本実施形態において、建方条件は、建方工程に反映され得るあらゆる情報を含む概念である。建方条件の変更は、これに限定されないが、例えば、図１０に示すような、各工事に要する時間に対応するバーが、利用者により時間軸上で移動、延長短縮、削除された際などに検出される。また、建方条件の変更は、図１５および図１６に示すような、一度作成した搬入経路が利用者により変更された際などに検出される。
【０１０１】
そして、端末装置１００の制御部１０２は、ステップＳＢ−９において、利用者により建方条件の変更があったと判定した場合（ステップＳＢ−９：Ｙｅｓ）、変更された建方条件に従って、ステップＳＢ−５から処理を再度実行する。一方、端末装置１００の制御部１０２は、ステップＳＢ−９において、利用者により建方条件の変更がなかったと判定した場合（ステップＳＢ−９：Ｎｏ）、その後本処理を終了する。
【０１０２】
以上で、第２の実施形態におけるＢＩＭシステムの処理の一例の説明を終える。
【０１０３】
なお、第２の実施形態にかかるＢＩＭシステム（サーバ主導型）においても、上述の第１の実施形態にかかるＢＩＭシステム（機能分散型）と同様の効果を奏する。
【０１０４】
［第３の実施形態］
続いて、第３の実施形態について、図２３および図２４を参照して以下に説明する。ここで、図２３は、第３の実施形態におけるＢＩＭシステムの構成の一例を示すブロック図であり、該構成のうち本実施形態に関係する部分を概念的に示している。ここで、第３の実施形態におけるＢＩＭシステムは、スタンドアロン型に構成され単独で処理を行うＢＩＭ装置４００により実現される。
【０１０５】
なお、第３の実施形態においては、全ての機能をＢＩＭ装置４００に集約し、当該ＢＩＭ装置４００は、利用者により入力される作成条件に対応する昇降機のＢＩＭパーツを作成し、ＢＩＭパーツを建築物のＢＩＭモデルに組み込んだ状態の昇降機組込建築物に対応する統合ＢＩＭモデルを作成する等の機能を有する。また、ＢＩＭ装置４００は、当該統合ＢＩＭモデルおよび工事計画情報に基づいて、統合ＢＩＭモデルが表す昇降機組込建築物を建築するのに必要な部材を運搬するために、統合ＢＩＭモデルに含まれるＢＩＭパーツが表す昇降機を利用する建方工程を作成し、建方工程を表示部に表示させる等の機能を有する。このように、第３の実施形態は、ＢＩＭ装置４００がスタンドアロン型に構成され単独で処理を行う点がその他の実施形態と異なる。
【０１０６】
［第３の実施形態におけるＢＩＭシステムの構成］
まず、第３の実施形態におけるＢＩＭシステムの構成の一例について、図２３を参照して以下に説明する。
【０１０７】
図２３に示すように、第３の実施形態のＢＩＭ装置４００は、出力部（表示部４１４および音声出力部４１６）と入力部４１８と制御部４０２と記憶部４０６とを少なくとも備える。これらＢＩＭ装置４００の各部は任意の通信路を介して通信可能に接続されてもよい。ＢＩＭ装置４００は、例えば、ＰＮＤ（Ｐｏｒｔａｂｌｅ  Ｎａｖｉｇａｔｉｏｎ  Ｄｅｖｉｃｅ）等の各種情報処理端末、ノート型のパーソナルコンピュータ等の各種情報処理装置、または、携帯電話やＰＨＳやＰＤＡ等の携帯端末装置等であってもよい。また、ＢＩＭ装置４００は、通信制御インターフェース部（図示せず）を介してネットワークを経由し、外部装置と相互に通信可能に接続されていてもよい。
【０１０８】
図２３において、入出力制御インターフェース部４０８、表示部４１４、音声出力部４１６、および、入力部４１８の各機能は、第１の実施形態と同様であるため説明を省略する。また、記憶部４０６の各部（パーツ情報データベース４０６ａ、ＢＩＭモデルデータベース４０６ｂ、工事計画情報データベース４０６ｃ、部材情報ファイル４０６ｄ、フロアレイアウト情報ファイル４０６ｅ、運搬手段スペック情報ファイル４０６ｆ等）についても、サーバ装置２００ではなくＢＩＭ装置４００に備えられている点を除き、各機能が第１の実施形態と同様であるため説明を省略する。
【０１０９】
なお、制御部４０２の各部については、本実施形態のＢＩＭ装置４００がスタンドアロン型であり、制御部４０２が各送信部を備えていない点を除き、各機能は第１の実施形態と基本的に同様である。
【０１１０】
図２３において、制御部４０２は、ＯＳ等の制御プログラムや、各種の処理手順等を規定したプログラム、および、所要データを格納するための内部メモリを有する。そして、制御部４０２は、これらのプログラム等により、種々の処理を実行するための情報処理を行う。制御部４０２は、機能概念的に、作成条件設定部４０２ａ、昇降機モデリング部４０２ｂ、統合モデリング部４０２ｃ、建方工程作成部４０２ｄ、画面表示部４０２ｅを備える。
【０１１１】
このうち、作成条件設定部４０２ａは、利用者により入力される作成条件を設定する作成条件設定手段である。ここで、作成条件は、利用者により入力部４１８を介して入力されたものであってもよいし、予め作成条件が記憶された外部記憶装置（図示せず）から読み込まれたものであってもよい。
【０１１２】
また、昇降機モデリング部４０２ｂは、作成条件設定部４０２ａにより設定された作成条件に対応する昇降機のＢＩＭパーツを、パーツ情報データベース４０６ａに記憶されたパーツ情報を用いて作成する昇降機モデリング手段である。昇降機モデリング部４０２ｂは、例えば、図３に示すようなエレベータの３次元のＢＩＭパーツを作成する。
【０１１３】
また、統合モデリング部４０２ｃは、昇降機モデリング部４０２ｂにより作成された昇降機のＢＩＭパーツを、ＢＩＭモデルデータベース４０６ｂに記憶された建築物のＢＩＭモデルに組み込んだ状態の昇降機組込建築物に対応する統合ＢＩＭモデルを作成する統合モデリング手段である。ここで、統合モデリング部４０２ｃは、図４に示したように作成した統合ＢＩＭモデルを記憶部４０６に格納して、統合ＢＩＭモデルデータベース（図示せず）を構築してもよい。
【０１１４】
また、建方工程作成部４０２ｄは、統合モデリング部４０２ｃにより作成された統合ＢＩＭモデル、および、工事計画情報データベース４０６ｃに記憶された工事計画情報に基づいて、統合ＢＩＭモデルが表す昇降機組込建築物を建築するのに必要な部材を運搬するために、統合ＢＩＭモデルに含まれるＢＩＭパーツが表す昇降機を利用する建方工程を作成する建方工程作成手段である。
【０１１５】
具体的には、建方工程作成部４０２ｄは、統合モデリング部４０２ｃにより作成された統合ＢＩＭモデルから、昇降機組込建築物を建築するのに必要な部材に関する部材情報、昇降機組込建築物の各階のフロアレイアウトを示すフロアレイアウト情報、および、昇降機組込建築物に組み込まれた昇降機のスペックに関する運搬手段スペック情報を抽出する。そして、建方工程作成部４０２ｄは、抽出した部材情報、フロアレイアウト情報および運搬手段スペック情報を、それぞれ部材情報ファイル４０６ｄ、フロアレイアウト情報ファイル４０６ｅ、および、運搬手段スペック情報ファイル４０６ｆに格納する。そして、建方工程作成部４０２ｄは、部材情報ファイル４０６ｄ、フロアレイアウト情報ファイル４０６ｅ、および、運搬手段スペック情報ファイル４０６ｆにそれぞれ格納された、部材情報、フロアレイアウト情報および運搬手段スペック情報に基づいて、部材の搬入経路を決定する。そして、建方工程作成部４０２ｄは、決定した搬入経路および工事計画情報データベース４０６ｃに記憶された工事計画情報に基づいて、建方工程を作成する。
【０１１６】
本実施形態において、建方工程作成部４０２ｄは、利用者により入力される建方条件に応じて、建方工程を変更してもよい。また、建方工程作成部４０２ｄは、建方工程を作成する際に当該建方工程を検証し、検証結果に応じて利用者に対する警告情報を作成してもよい。また、建方工程作成部４０２ｄは、記憶部４０６に記憶された、過去に作成された建方工程に従った工事実績を示す実績情報に応じて、建方工程を作成してもよい。
【０１１７】
画面表示部４０２ｅは、建方工程作成部４０２ｄにより作成された建方工程を表示部４１４に表示させる画面表示手段である。画面表示部４０２ｅは、建方工程作成部４０２ｄにより作成された警告情報を表示部４１４に表示させてもよい。このとき、制御部４０２は、音声出力部４１６により警告情報を音声出力させてもよい。また、本実施形態において、画面表示部４０２ｅは、統合モデリング部４０２ｃにより作成された統合ＢＩＭモデルを表示部４１４に表示させてもよい。これにより、昇降機の設備計画を提案する際、建築物に昇降機を組み込んだ状態の統合ＢＩＭモデルを視覚的に分かりやすく表示することができる。
【０１１８】
以上で、第３の実施形態におけるＢＩＭシステムの構成の一例の説明を終える。
【０１１９】
［第３の実施形態におけるＢＩＭシステムの処理］
次に、このように構成された第３の実施形態におけるＢＩＭシステムの処理の一例について、以下に図２４を参照して詳細に説明する。図２４は、第３の実施形態におけるＢＩＭシステムの処理の一例を示すフローチャートである。
【０１２０】
図２４に示すように、まず、作成条件設定部４０２ａは、利用者により入力される作成条件を設定する（ステップＳＣ−１）。
【０１２１】
そして、昇降機モデリング部４０２ｂは、ステップＳＣ−１にて作成条件設定部４０２ａの処理により設定された作成条件に対応する昇降機のＢＩＭパーツを、パーツ情報データベース４０６ａに記憶されたパーツ情報を用いて作成する（ステップＳＣ−２）。例えば、昇降機モデリング部４０２ｂは、上述の図３に示すようなエレベータのＢＩＭパーツを作成する。ここで、ステップＳＣ−２において、昇降機モデリング部４０２ｂは、作成条件を満たす複数の昇降機のＢＩＭパーツを作成してもよい。
【０１２２】
そして、統合モデリング部４０２ｃは、ステップＳＣ−２にて昇降機モデリング部４０２ｂの処理により作成された昇降機のＢＩＭパーツを、ＢＩＭモデルデータベース４０６ｂに記憶された建築物のＢＩＭモデルに組み込んだ状態の昇降機組込建築物に対応する統合ＢＩＭモデルを作成する（ステップＳＣ−３）。例えば、統合モデリング部４０２ｃは、図４に示すような、エレベータのＢＩＭパーツが建築物のＢＩＭモデルに組み込まれた状態の昇降機組込建築物に対応する統合ＢＩＭモデルを作成する。
【０１２３】
そして、建方工程作成部４０２ｄは、ステップＳＣ−３にて統合モデリング部４０２ｃの処理により作成された統合ＢＩＭモデル、および、工事計画情報データベース４０６ｃに記憶された工事計画情報に基づいて、統合ＢＩＭモデルが表す昇降機組込建築物を建築するのに必要な部材を運搬するために、統合ＢＩＭモデルに含まれるＢＩＭパーツが表す昇降機を利用する建方工程を作成する（ステップＳＣ−４）。ステップＳＣ−４において、建方工程作成部４０２ｄは、例えば、図１４に示すような、統合ＢＩＭモデルが表す昇降機組込建築物を建築するのに必要な部材を運搬するために、統合ＢＩＭモデルに含まれるＢＩＭパーツが表す昇降機を運搬手段として利用する建方工程を作成する。
【０１２４】
ここで、ステップＳＣ−４において、建方工程作成部４０２ｄは、記憶部４０６に記憶された、過去に作成された建方工程に従った工事実績を示す実績情報に応じて、建方工程を作成してもよい。例えば、建方工程作成部４０２ｄは、例えば運搬時にトラブルが発生した部材については、安全に運搬可能なエレベータを使用する搬入経路を用いる建方工程を作成してもよい。また、建方工程作成部４０２ｄは、例えば雨天時に運搬禁止の部材については、屋根がない箇所を避ける搬入経路を用いる建方工程を作成してもよい。
【０１２５】
そして、建方工程作成部４０２ｄは、ステップＳＣ−４において作成された建方工程を検証する（ステップＳＣ−５）。そして、ステップＳＣ−５において、建方工程作成部４０２ｄは、検証結果に応じて利用者に対する警告情報を作成する。例えば、建方工程作成部４０２ｄは、図１１に示すように、同じ場所・日時で複数の工事を実施する計画になっている場合や、制限条件に反する場合に利用者にアラームを出すように、無理な工程になっていないかを確認する。そして、図１１に示すように、建方工程作成部４０２ｄは、工事Ｂと工事Ｃを検証して、同時日時に実施する工場の作業場所（フロアレイアウト）を監視し、同じ場所で作業が発生する場合はアラームを出すように設定する。また、建方工程作成部４０２ｄは、工事Ｄと工事Ｅを検証して、工事間の紐付け・制限条件が設定条件から外れる場合はアラームを出すように設定する。この他、建方工程作成部４０２ｄは、図１４に示すように、実際の工事実績を実績情報として記憶部４０６に記憶させておき、例えば運搬時にトラブルが発生した部材、雨天時に運搬禁止の部材など注意が必要な部材を使用することとした場合に、利用者にアラームを出し注意喚起する警告情報を作成する。
【０１２６】
そして、画面表示部４０２ｅは、ステップＳＣ−４にて建方工程作成部４０２ｄの処理により作成された建方工程を表示部４１４に表示させる（ステップＳＣ−６）。ステップＳＣ−６において、画面表示部４０２ｅは、ステップＳＣ−６にて建方工程作成部４０２ｄの処理により作成された警告情報を表示部４１４に表示させてもよい。このとき、制御部４０２は、音声出力部４１６により警告情報を音声出力させてもよい。また、本実施形態において、画面表示部４０２ｅは、統合モデリング部４０２ｃにより作成された統合ＢＩＭモデルを表示部４１４に表示させてもよい。
【０１２７】
そして、制御部４０２は、利用者により建方条件の変更があったか否か判定する（ステップＳＣ−７）。本実施形態において、建方条件は、建方工程に反映され得るあらゆる情報を含む概念である。建方条件の変更は、これに限定されないが、例えば、図１０に示すような、各工事に要する時間に対応するバーが、利用者により時間軸上で移動、延長短縮、削除された際などに検出される。また、建方条件の変更は、図１５および図１６に示すような、一度作成した搬入経路が利用者により変更された際などに検出される。
【０１２８】
そして、制御部４０２は、ステップＳＣ−７において、利用者により建方条件の変更があったと判定した場合（ステップＳＣ−７：Ｙｅｓ）、変更された建方条件に従って、ステップＳＣ−４から処理を再度実行する。一方、制御部４０２は、ステップＳＣ−７において、利用者により建方条件の変更がなかったと判定した場合（ステップＳＣ−７：Ｎｏ）、その後本処理を終了する。
【０１２９】
以上で、第３の実施形態におけるＢＩＭシステムの処理の一例の説明を終える。
【０１３０】
なお、第３の実施形態にかかるＢＩＭシステム（スタンドアロン型）においても、上述の第１の実施形態にかかるＢＩＭシステム（機能分散型）と同様の効果を奏する。
【０１３１】
［他の実施の形態］
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１３２】
例えば、上述の実施形態では、昇降機としてエレベータを例にして説明したが、エスカレータ、動く歩道等の乗客コンベアについても同様に本発明を適用できる。
【０１３３】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１３４】
この他、上記文献中や図面中で示した処理手順、制御手順、具体的名称、各処理の登録データや検索条件等のパラメータを含む情報、画面例、データベース構成については、特記する場合を除いて任意に変更することができる。
【０１３５】
また、端末装置１００、サーバ装置２００、および、ＢＩＭ装置４００に関して、図示の各構成要素は機能概念的なものであり、必ずしも物理的に図示の如く構成されていることを要しない。
【０１３６】
例えば、端末装置１００、サーバ装置２００、および、ＢＩＭ装置４００の各装置が備える処理機能、特に制御部１０２、制御部２０２、および、制御部４０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。なお、プログラムは、後述する記録媒体に記録されており、必要に応じて端末装置１００、サーバ装置２００、および、ＢＩＭ装置４００に機械的に読み取られる。すなわち、ＲＯＭまたはＨＤＤなどの記憶部１０６、記憶部２０６、および、記憶部４０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１３７】
また、このコンピュータプログラムは、端末装置１００、サーバ装置２００、および、ＢＩＭ装置４００に対して任意のネットワーク３００を介して接続されたアプリケーションプログラムサーバに記憶されていてもよく、必要に応じてその全部または一部をダウンロードすることも可能である。
【０１３８】
また、本発明に係るプログラムを、コンピュータで読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ  Ｄｉｓｃ等の任意の「可搬用の物理媒体」を含むものとする。
【０１３９】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１４０】
記憶部１０６、記憶部２０６、および、記憶部４０６に格納される各種のデータベース等（例えば、ＢＩＭモデルデータベース１０６ａ、工事計画情報データベース１０６ｂ、部材情報ファイル１０６ｃ、フロアレイアウト情報ファイル１０６ｄ、運搬手段スペック情報ファイル１０６ｅ、パーツ情報データベース２０６ａ、ＢＩＭモデルファイル２０６ｂ、工事計画情報データベース２０６ｃ、部材情報ファイル２０６ｄ、フロアレイアウト情報ファイル２０６ｅ、運搬手段スペック情報ファイル２０６ｆ、パーツ情報データベース４０６ａ、ＢＩＭモデルデータベース４０６ｂ、工事計画情報データベース４０６ｃ、部材情報ファイル４０６ｄ、フロアレイアウト情報ファイル４０６ｅ、運搬手段スペック情報ファイル４０６ｆ）は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【０１４１】
また、端末装置１００、サーバ装置２００、および、ＢＩＭ装置４００は、既知のパーソナルコンピュータ、ワークステーション等の情報処理装置として構成してもよく、また、該情報処理装置に任意の周辺装置を接続して構成してもよい。また、端末装置１００、サーバ装置２００、および、ＢＩＭ装置４００は、該情報処理装置に本発明の方法を実現させるソフトウェア（プログラム、データ等を含む）を実装することにより実現してもよい。
【０１４２】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【０１４３】
以上で説明した実施形態、変形例に係るＢＩＭシステム、サーバ装置、端末装置、方法およびプログラムによれば、その結果、昇降機の設備計画を提案する際、建築物に昇降機を組み込んだ状態を視覚的に分かりやすく表示することができる。
【符号の説明】
【０１４４】
１００  端末装置
１０２  制御部
１０２ａ  作成条件送信部
１０２ｂ  情報取得部
１０２ｃ  統合モデリング部
１０２ｄ  建方工程作成部
１０２ｅ  画面表示部
１０４  通信制御インターフェース部
１０６  記憶部
１０６ａ  ＢＩＭモデルデータベース
１０６ｂ  工事計画情報データベース
１０６ｃ  部材情報ファイル
１０６ｄ  フロアレイアウト情報ファイル
１０６ｅ  運搬手段スペック情報ファイル
１０８  入出力制御インターフェース部
１１４  表示部
１１６  音声出力部
１１８  入力部
２００  サーバ装置
２０２  制御部
２０２ａ  作成条件受信部
２０２ｂ  昇降機モデリング部
２０２ｃ  情報提供部
２０２ｄ  統合モデリング部
２０２ｅ  建方工程作成部
２０２ｆ  画面表示制御部
２０４  通信制御インターフェース部
２０６  記憶部
２０６ａ  パーツ情報データベース
２０６ｂ  ＢＩＭモデルファイル
２０６ｃ  工事計画情報データベース
２０６ｄ  部材情報ファイル
２０６ｅ  フロアレイアウト情報ファイル
２０６ｆ  運搬手段スペック情報ファイル
３００  ネットワーク
４００  ＢＩＭ装置
４０２  制御部
４０２ａ  作成条件設定部
４０２ｂ  昇降機モデリング部
４０２ｃ  統合モデリング部
４０２ｄ  建方工程作成部
４０２ｅ  画面表示部
４０６  記憶部
４０６ａ  パーツ情報データベース
４０６ｂ  ＢＩＭモデルデータベース
４０６ｃ  工事計画情報データベース
４０６ｄ  部材情報ファイル
４０６ｅ  フロアレイアウト情報ファイル
４０６ｆ  運搬手段スペック情報ファイル
４０８  入出力制御インターフェース部
４１４  表示部
４１６  音声出力部
４１８  入力部
【図１】
0005645321.tif 000002
【図２】
0005645321.tif 000003
【図３】
0005645321.tif 000004
【図４】
0005645321.tif 000005
【図５】
0005645321.tif 000006
【図６】
0005645321.tif 000007
【図７】
0005645321.tif 000008
【図８】
0005645321.tif 000009
【図９】
0005645321.tif 000010
【図１０】
0005645321.tif 000011
【図１１】
0005645321.tif 000012
【図１２】
0005645321.tif 000013
【図１３】
0005645321.tif 000014
【図１４】
0005645321.tif 000015
【図１５】
0005645321.tif 000016
【図１６】
0005645321.tif 000017
【図１７】
0005645321.tif 000018
【図１８】
0005645321.tif 000019
【図１９】
0005645321.tif 000020
【図２０】
0005645321.tif 000021
【図２１】
0005645321.tif 000022
【図２２】
0005645321.tif 000023
【図２３】
0005645321.tif 000024
【図２４】
0005645321.tif 000025